(57)【要約】【課題】複雑な光学部品を使用することなく、同一の受光素子の異なる領域に、３種の波長の信号を導くことができて、安価で信頼性の高い光ピックアップ装置を提供する。【解決手段】第１の光源１と第２の光源２と第３の光源３と第１の回折素子１５ａと第２の回折素子１４ａと受光素子１３とを有する。第１の回折素子１５ａは、第１の光源１の短波長のレーザ光による記録媒体からの反射光を回折する。第２の回折素子１４ａは、短波長のレーザ光の偏光方向と直交する偏光方向に設定された第２の光源２の中間波長のレーザ光による記録媒体からの反射光、および、短波長のレーザ光の偏光方向と直交する偏光方向に設定された第３の光源３の長波長のレーザ光による記録媒体からの反射光を回折する。受光素子１３は、第１の回折素子１５ａの短波長の回折光と、第２の回折素子１４ａの中間波長の回折光、および、第２の回折素子１４ａの長波長の回折光とを、互いに異なる領域で受光する。【選択図】図１
2008077762.tif 000002
【特許請求の範囲】
【請求項１】
短波長のレーザ光を出射する第１の光源と、
中間波長のレーザ光を出射する第２の光源と、
長波長のレーザ光を出射する第３の光源と、
上記第１の光源から出射された上記短波長のレーザ光による記録媒体からの反射光を回折する第１の回折素子と、
上記第２の光源から出射されると共に上記短波長のレーザ光の偏光方向と直交する偏光方向に設定された上記中間波長のレーザ光による記録媒体からの反射光、および、上記第３の光源から出射されると共に上記短波長のレーザ光の偏光方向と直交する偏光方向に設定された上記長波長のレーザ光による記録媒体からの反射光を回折する第２の回折素子と、
上記第１の回折素子からの短波長の回折光と、上記第２の回折素子からの中間波長の回折光、および、上記第２の回折素子からの長波長の回折光とを、互いに異なる領域で受光する受光素子と
を備えることを特徴とする光ピックアップ装置。
【請求項２】
短波長のレーザ光を出射する第１の光源と、
中間波長のレーザ光を出射する第２の光源と、
長波長のレーザ光を出射する第３の光源と、
上記第１の光源から出射された上記短波長のレーザ光による記録媒体からの反射光を回折する第１の回折素子と、
上記第１の光源から出射された上記短波長のレーザ光による記録媒体からの反射光を屈折しないで透過する一方、上記第２の光源から出射されると共に上記短波長のレーザ光の偏光方向と直交する偏光方向に設定された上記中間波長のレーザ光による記録媒体からの反射光、および、上記第３の光源から出射されると共に上記短波長のレーザ光の偏光方向と直交する偏光方向に設定された上記長波長のレーザ光による記録媒体からの反射光を屈折する偏光レンズと、
上記第１の回折素子からの短波長の回折光と、上記偏光レンズからの中間波長の屈折光、および、上記偏光レンズからの長波長の屈折光とを、互いに異なる領域で受光する受光素子と
を備えることを特徴とする光ピックアップ装置。
【請求項３】
請求項１または２に記載の光ピックアップ装置において、
上記受光素子は、一つの集積回路上に、形成されていることを特徴とする光ピックアップ装置。
【請求項４】
請求項１に記載の光ピックアップ装置において、
上記第１の回折素子は、上記短波長のレーザ光による記録媒体からの反射光を、上記第２の回折素子の領域外に回折し、
上記第２の回折素子は、偏光特性を有しない回折素子で形成されていることを特徴とする光ピックアップ装置。
【請求項５】
請求項１または２に記載の光ピックアップ装置において、
上記第１の回折素子は、上記短波長のレーザ光による記録媒体からの反射光を、４つの領域に分割し、
第１の領域は、トラック方向に２分割された半円のうちの一の半円であって、ナイフエッジ法によるフォーカスエラー信号が得られ、
第２の領域は、他の半円のうちの外周側の領域であって、球面収差信号が得られ、
第３と第４の領域は、それぞれ、他の半円のうちの内周側の領域をラジアル方向に２分割した領域であることを特徴とする光ピックアップ装置。
【請求項６】
請求項５に記載の光ピックアップ装置において、
上記短波長のレーザ光による記録媒体からのフォーカスエラー信号は、上記第１の回折素子による上記第１の領域を介して、上記受光素子のうちの２分割された一の受光部によって、ナイフエッジ法を用いて得られる一方、
上記中間波長のレーザ光による記録媒体からのフォーカスエラー信号、および、上記長波長のレーザ光による記録媒体からのフォーカスエラー信号は、上記受光素子のうちの他の受光部によって、非点収差法あるいは差動非点収差法を用いて得られることを特徴とする光ピックアップ装置。
【請求項７】
請求項１または２に記載の光ピックアップ装置において、
上記第２の光源と上記第３の光源とは、同一の一のパッケージに、収納され、
上記第１の光源は、他のパッケージに収納されていることを特徴とする光ピックアップ装置。
【請求項８】
請求項１に記載の光ピックアップ装置において、
上記受光素子を設置する受光素子用基台と、
上記第１の回折素子を設置する第１の回折素子用基台と、
上記第２の回折素子を設置する第２の回折素子用基台と
を有し、
上記受光素子用基台、上記第１の回折素子用基台および上記第２の回折素子用基台は、直列に接して配置されていることを特徴とする光ピックアップ装置。
【請求項９】
請求項１または２に記載の光ピックアップ装置において、
上記第１の光源、上記第２の光源および上記第３の光源は、同一のパッケージに収納されていることを特徴とする光ピックアップ装置。
【請求項１０】
請求項９に記載の光ピックアップ装置において、
上記パッケージ内に、Ｌ字型の固定ベースを有し、
上記第２の光源から出射される上記中間波長のレーザ光の偏光方向、および、上記第３の光源から出射される上記長波長のレーザ光の偏光方向を、上記第１の光源から出射される上記短波長のレーザ光の偏光方向に対して直交するように、
上記固定ベースの一端に、上記第１の光源を設置し、上記固定ベースの他端に、上記第２の光源および上記第３の光源を設置したことを特徴とする光ピックアップ装置。
【請求項１１】
請求項１または２に記載の光ピックアップ装置において、
上記第１の光源、上記第２の光源および上記第３の光源は、それぞれ、互いに異なるパッケージに収納されていることを特徴とする光ピックアップ装置。
【請求項１２】
請求項１または２に記載の光ピックアップ装置において、
上記短波長のレーザ光の波長は、略４０５ｎｍであり、上記中間波長のレーザ光の波長は、略６５０ｎｍであり、上記長波長のレーザ光の波長は、略７８０ｎｍであることを特徴とする光ピックアップ装置。
【発明の詳細な説明】
【技術分野】
【０００１】
この発明は、互いに波長の異なる３種類のレーザ光によって、記録方式の異なる記録媒体への信号の書き込みや読み取りを行う光ピックアップ装置に関する。
【背景技術】
【０００２】
レーザ光を用いて光学的に信号の読み取りが行われる光ディスクとしては、ＣＤ（コンパクトディスク）が普及しているが、更なる大容量のニーズに応えてＣＤと同一ディスク径として機構的な互換性を確保した上で、ＣＤより高密度記録とすることにより大容量化を図らんとして規格化された高密度ディスク（ＤＶＤ）や、さらに波長の短い青紫色レーザを採用する超高密度ディスクが提案されている。
【０００３】
ところで、光ピックアップ装置を、ＣＤ、ＤＶＤおよび超高密度ディスクの波長の異なる３種の信号読み取りに対応させるには、３種の波長のレーザ光を出射する光源であるレーザーダイオードと３種の信号を受光する受光素子とが必要であった。
【０００４】
そして、信号読み取りを行う記録媒体の記録密度に応じて使用する光源や受光素子を切り換えて、３種類の規格に対応することが必要であり、さらに、超高密度ディスクの規格においては、超高密度ディスクの厚み誤差を検出して、球面収差（ＳＡ）の補正を行うことが必要で、対物レンズシフトの影響を受けない正確で高品位な球面収差信号を得ることが困難であった。
【０００５】
近年では、ＣＤおよびＤＶＤの２波長に対応したピックアップも実用化され、超高密度ディスクのみ別のピックアップで記録再生に対応したり、また、外見上はひとつのピックアップで構成されても、中身は、超高密度ディスクとＣＤおよびＤＶＤとの光学系を全く別の光学部品で構成していた。このため、光学系の構造は複雑で、ピックアップも大型となり、ピックアップに掛かるコストも高価なものとなっていた。
【０００６】
特に、超高密度ディスクとＣＤおよびＤＶＤとの受光部を分離することは、ＩＣ上に構成されたＯＰＩＣ（受光素子を備えたオプティカルＩＣ）を複数用意する必要があり、かつ信号を出力するためのフレキシブル基板も構造が複雑でコストアップを招いていた。さらに、対物レンズシフトに対してＳＡ信号品質を満足するためには、選別生産をする等コストアップを招いていた。
【０００７】
例えば、従来の光ピックアップ装置としては、３種の波長のレーザ光のそれぞれを出射する３つの光源と、ディスクからの３種の信号を受光する１つの受光素子とを、備えたものがある（特開２００６−２４３３３号公報：特許文献１参照）。
【０００８】
しかしながら、超高密度ディスクと通常ディスクとでは、受光素子の受光領域は分別されておらず（つまり、受光経路は分別されておらず）、受光素子の同一の受光領域で信号を受光しており、方式の異なるエラー信号検出が不可能であり、超高密度ディスクで安定したトラックサーボやフォーカスサーボが得られず、球面収差信号を付加することが不可能であった。また、超高密度ディスクと通常ディスクとで個別に、受光ポイントの調整は不可能である。
【０００９】
また、他の従来の光ピックアップ装置としては、３種の波長のレーザ光のそれぞれを出射する３つの光源と、ディスクからの３種の信号のそれぞれを受光する３つの受光素子とを、備えたものがある（特開２００５−１８２９４１号公報：特許文献２参照）。しかしながら、３つの受光素子が必要であり、コスト高となっていた。
【特許文献１】特開２００６−２４３３３号公報
【特許文献２】特開２００５−１８２９４１号公報
【発明の開示】
【発明が解決しようとする課題】
【００１０】
そこで、この発明の課題は、複雑な光学部品を使用することなく、同一の受光素子の異なる領域に、３種の波長の信号を導くことができて、安価で信頼性の高い光ピックアップ装置を提供することにある。
【課題を解決するための手段】
【００１１】
上記課題を解決するため、この発明の光ピックアップ装置は、
短波長のレーザ光を出射する第１の光源と、
中間波長のレーザ光を出射する第２の光源と、
長波長のレーザ光を出射する第３の光源と、
上記第１の光源から出射された上記短波長のレーザ光による記録媒体からの反射光を回折する第１の回折素子と、
上記第２の光源から出射されると共に上記短波長のレーザ光の偏光方向と直交する偏光方向に設定された上記中間波長のレーザ光による記録媒体からの反射光、および、上記第３の光源から出射されると共に上記短波長のレーザ光の偏光方向と直交する偏光方向に設定された上記長波長のレーザ光による記録媒体からの反射光を回折する第２の回折素子と、
上記第１の回折素子からの短波長の回折光と、上記第２の回折素子からの中間波長の回折光、および、上記第２の回折素子からの長波長の回折光とを、互いに異なる領域で受光する受光素子と
を備えることを特徴としている。
【００１２】
ここで、上記短波長のレーザ光によって情報信号の書き込みや読み取りが行われる記録媒体は、例えば、超高密度ディスクや、青色レーザ光を用いて記録再生するディスクである。上記中間波長のレーザ光によって情報信号の書き込みや読み取りが行われる記録媒体は、例えば、ＤＶＤ（Digital Versatile Disc）である。上記長波長のレーザ光によって情報信号の書き込みや読み取りが行われる記録媒体は、例えば、ＣＤ（Compact Disc）である。
【００１３】
この発明の光ピックアップ装置によれば、短波長のレーザ光を出射する第１の光源と、中間波長のレーザ光を出射する第２の光源と、長波長のレーザ光を出射する第３の光源と、上記第１の光源から出射された上記短波長のレーザ光による記録媒体からの反射光を回折する第１の回折素子と、上記第２の光源から出射されると共に上記短波長のレーザ光の偏光方向と直交する偏光方向に設定された上記中間波長のレーザ光による記録媒体からの反射光、および、上記第３の光源から出射されると共に上記短波長のレーザ光の偏光方向と直交する偏光方向に設定された上記長波長のレーザ光による記録媒体からの反射光を回折する第２の回折素子と、上記第１の回折素子からの短波長の回折光と、上記第２の回折素子からの中間波長の回折光、および、上記第２の回折素子からの長波長の回折光とを、互いに異なる領域で受光する受光素子とを備えているので、波長によって受光信号光の偏光方向を直交させることによって、複雑な光学部品を使用することなく、同一の受光素子の異なる領域に、３種の波長の信号を導くことができて、安価で信頼性の高い光ピックアップ装置を提供できる。
【００１４】
また、この発明の光ピックアップ装置は、
短波長のレーザ光を出射する第１の光源と、
中間波長のレーザ光を出射する第２の光源と、
長波長のレーザ光を出射する第３の光源と、
上記第１の光源から出射された上記短波長のレーザ光による記録媒体からの反射光を回折する第１の回折素子と、
上記第１の光源から出射された上記短波長のレーザ光による記録媒体からの反射光を屈折しないで透過する一方、上記第２の光源から出射されると共に上記短波長のレーザ光の偏光方向と直交する偏光方向に設定された上記中間波長のレーザ光による記録媒体からの反射光、および、上記第３の光源から出射されると共に上記短波長のレーザ光の偏光方向と直交する偏光方向に設定された上記長波長のレーザ光による記録媒体からの反射光を屈折する偏光レンズと、
上記第１の回折素子からの短波長の回折光と、上記偏光レンズからの中間波長の屈折光、および、上記偏光レンズからの長波長の屈折光とを、互いに異なる領域で受光する受光素子と
を備えることを特徴としている。
【００１５】
ここで、上記短波長のレーザ光によって情報信号の書き込みや読み取りが行われる記録媒体は、例えば、超高密度ディスクや、青色レーザ光を用いて記録再生するディスクである。上記中間波長のレーザ光によって情報信号の書き込みや読み取りが行われる記録媒体は、例えば、ＤＶＤ（Digital Versatile Disc）である。上記長波長のレーザ光によって情報信号の書き込みや読み取りが行われる記録媒体は、例えば、ＣＤ（Compact Disc）である。
【００１６】
この発明の光ピックアップ装置によれば、短波長のレーザ光を出射する第１の光源と、中間波長のレーザ光を出射する第２の光源と、長波長のレーザ光を出射する第３の光源と、上記第１の光源から出射された上記短波長のレーザ光による記録媒体からの反射光を回折する第１の回折素子と、上記第１の光源から出射された上記短波長のレーザ光による記録媒体からの反射光を屈折しないで透過する一方、上記第２の光源から出射されると共に上記短波長のレーザ光の偏光方向と直交する偏光方向に設定された上記中間波長のレーザ光による記録媒体からの反射光、および、上記第３の光源から出射されると共に上記短波長のレーザ光の偏光方向と直交する偏光方向に設定された上記長波長のレーザ光による記録媒体からの反射光を屈折する偏光レンズと、上記第１の回折素子からの短波長の回折光と、上記偏光レンズからの中間波長の屈折光、および、上記偏光レンズからの長波長の屈折光とを、互いに異なる領域で受光する受光素子とを備えているので、波長によって受光信号光の偏光方向を直交させることによって、複雑な光学部品を使用することなく、同一の受光素子の異なる領域に、３種の波長の信号を導くことができて、安価で信頼性の高い光ピックアップ装置を提供できる。
【００１７】
また、上記第１の回折素子によって、短波長の回折信号によるＦＥＳやＴＥＳやＲＦ信号を得る一方、上記偏光レンズによって、中間波長の屈折信号および長波長の屈折信号のＦＥＳを、非点収差法あるいは差動非点収差法を用いて、得ることができる。
【００１８】
また、一実施形態の光ピックアップ装置では、上記受光素子は、一つの集積回路上に、形成されている。
【００１９】
この実施形態の光ピックアップ装置によれば、上記受光素子は、一つの集積回路上に、形成されているので、同一の集積回路上の受光素子に、３種の波長の信号を導くことができて、安価で信頼性の高い光ピックアップ装置を提供できる。
【００２０】
また、一実施形態の光ピックアップ装置では、上記第１の回折素子は、上記短波長のレーザ光による記録媒体からの反射光を、上記第２の回折素子の領域外に回折し、上記第２の回折素子は、偏光特性を有しない回折素子で形成されている。
【００２１】
この実施形態の光ピックアップ装置によれば、上記第１の回折素子は、上記短波長のレーザ光による記録媒体からの反射光を、上記第２の回折素子の領域外に回折し、上記第２の回折素子は、偏光特性を有しない回折素子で形成されているので、上記第２の回折素子を偏光特性を有しない材料で構成できて、安価で安定した特性を得ることができる。
【００２２】
また、一実施形態の光ピックアップ装置では、上記第１の回折素子は、上記短波長のレーザ光による記録媒体からの反射光を、４つの領域に分割し、
第１の領域は、トラック方向に２分割された半円のうちの一の半円であって、ナイフエッジ法によるフォーカスエラー信号が得られ、
第２の領域は、他の半円のうちの外周側の領域であって、球面収差信号が得られ、
第３と第４の領域は、それぞれ、他の半円のうちの内周側の領域をラジアル方向に２分割した領域である。
【００２３】
この実施形態の光ピックアップ装置によれば、上記第１の回折素子は、上記短波長のレーザ光による記録媒体からの反射光を、４つの領域に分割し、第１の領域は、トラック方向に２分割された半円のうちの一の半円であって、ナイフエッジ法によるフォーカスエラー信号が得られ、第２の領域は、他の半円のうちの外周側の領域であって、球面収差信号が得られ、第３と第４の領域は、それぞれ、他の半円のうちの内周側の領域をラジアル方向に２分割した領域であるので、対物レンズの開口（アパーチャ絞り）に対して正確に上記第１の回折素子の位置決めが可能であり、対物レンズのラジアル方向のシフトに対しても安定した球面収差信号を得ることができる。
【００２４】
また、一実施形態の光ピックアップ装置では、上記短波長のレーザ光による記録媒体からのフォーカスエラー信号は、上記第１の回折素子による上記第１の領域を介して、上記受光素子のうちの２分割された一の受光部によって、ナイフエッジ法を用いて得られる一方、
上記中間波長のレーザ光による記録媒体からのフォーカスエラー信号、および、上記長波長のレーザ光による記録媒体からのフォーカスエラー信号は、上記受光素子のうちの他の受光部によって、非点収差法あるいは差動非点収差法を用いて得られる。
【００２５】
この実施形態の光ピックアップ装置によれば、上記短波長のレーザ光による記録媒体からのフォーカスエラー信号は、上記第１の回折素子による上記第１の領域を介して、上記受光素子のうちの２分割された一の受光部によって、ナイフエッジ法を用いて得られるので、トラックピッチの狭い超高密度のディスクに対して、トラックを横切るトラッキング信号のフォーカス信号への漏れ込みを最小限にすることができる。
【００２６】
また、上記中間波長のレーザ光による記録媒体からのフォーカスエラー信号、および、上記長波長のレーザ光による記録媒体からのフォーカスエラー信号は、上記受光素子のうちの他の受光部によって、非点収差法あるいは差動非点収差法を用いて得られるので、信頼性のあるフォーカスエラーを検出することができる。
【００２７】
また、一実施形態の光ピックアップ装置では、上記第２の光源と上記第３の光源とは、同一の一のパッケージに、収納され、上記第１の光源は、他のパッケージに収納されている。
【００２８】
この実施形態の光ピックアップ装置によれば、上記第２の光源と上記第３の光源とは、同一の一のパッケージに、収納され、上記第１の光源は、他のパッケージに収納されているので、上記第２の光源から出射される上記中間波長のレーザ光の偏光方向、および、上記第３の光源から出射される上記長波長のレーザ光の偏光方向を、上記第１の光源から出射される上記短波長のレーザ光の偏光方向に対して直交するように、簡単に設定できる。
【００２９】
また、一実施形態の光ピックアップ装置では、
上記受光素子を設置する受光素子用基台と、
上記第１の回折素子を設置する第１の回折素子用基台と、
上記第２の回折素子を設置する第２の回折素子用基台と
を有し、
上記受光素子用基台、上記第１の回折素子用基台および上記第２の回折素子用基台は、直列に接して配置されている。
【００３０】
この実施形態の光ピックアップ装置によれば、上記受光素子用基台、上記第１の回折素子用基台および上記第２の回折素子用基台は、直列に接して配置されているので、上記受光素子、上記第１の回折素子および上記第２の回折素子のそれぞれの信号受光調整が、容易となる。
【００３１】
また、一実施形態の光ピックアップ装置では、上記第１の光源、上記第２の光源および上記第３の光源は、同一のパッケージに収納されている。
【００３２】
この実施形態の光ピックアップ装置によれば、上記第１の光源、上記第２の光源および上記第３の光源は、同一のパッケージに収納されているので、簡単な構成にすることができる。
【００３３】
また、一実施形態の光ピックアップ装置では、上記パッケージ内に、Ｌ字型の固定ベースを有し、
上記第２の光源から出射される上記中間波長のレーザ光の偏光方向、および、上記第３の光源から出射される上記長波長のレーザ光の偏光方向を、上記第１の光源から出射される上記短波長のレーザ光の偏光方向に対して直交するように、
上記固定ベースの一端に、上記第１の光源を設置し、上記固定ベースの他端に、上記第２の光源および上記第３の光源を設置している。
【００３４】
この実施形態の光ピックアップ装置によれば、上記パッケージ内に、Ｌ字型の固定ベースを有し、上記第２の光源から出射される上記中間波長のレーザ光の偏光方向、および、上記第３の光源から出射される上記長波長のレーザ光の偏光方向を、上記第１の光源から出射される上記短波長のレーザ光の偏光方向に対して直交するように、上記固定ベースの一端に、上記第１の光源を設置し、上記固定ベースの他端に、上記第２の光源および上記第３の光源を設置したので、簡単な構成で、上記第１の光源から出射される上記短波長のレーザ光の偏光方向、上記第２の光源から出射される上記中間波長のレーザ光の偏光方向、および、上記第３の光源から出射される上記長波長のレーザ光の偏光方向を、簡単に設定できる。
【００３５】
また、一実施形態の光ピックアップ装置では、上記第１の光源、上記第２の光源および上記第３の光源は、それぞれ、互いに異なるパッケージに収納されている。
【００３６】
この実施形態の光ピックアップ装置によれば、上記第１の光源、上記第２の光源および上記第３の光源は、それぞれ、互いに異なるパッケージに収納されているので、上記第１の光源、上記第２の光源および上記第３の光源を、全て、既存のものを使用でき、また、上記第１の光源、上記第２の光源および上記第３の光源の各々に、低コストのパッケージを採用できる。
【００３７】
また、一実施形態の光ピックアップ装置では、上記短波長のレーザ光の波長は、略４０５ｎｍであり、上記中間波長のレーザ光の波長は、略６５０ｎｍであり、上記長波長のレーザ光の波長は、略７８０ｎｍである。
【００３８】
この実施形態の光ピックアップ装置によれば、上記短波長のレーザ光の波長は、略４０５ｎｍであり、上記中間波長のレーザ光の波長は、略６５０ｎｍであり、上記長波長のレーザ光の波長は、略７８０ｎｍであるので、超高密度ディスク、ＤＶＤおよびＣＤの３種のディスクに対して、規格に則した最適な記録や再生を行うことができる。
【発明の効果】
【００３９】
この発明の光ピックアップ装置によれば、上記第１の光源と、上記第２の光源と、上記第３の光源と、上記第１の回折素子と、上記第２の回折素子と、上記受光素子とを有しているので、複雑な光学部品を使用することなく、同一の受光素子の異なる領域に、３種の波長の信号を導くことができて、安価で信頼性の高い光ピックアップ装置を提供できる。
【００４０】
また、この発明の光ピックアップ装置によれば、上記第１の光源と、上記第２の光源と、上記第３の光源と、上記第１の回折素子と、上記偏光レンズと、上記受光素子とを有しているので、複雑な光学部品を使用することなく、同一の受光素子の異なる領域に、３種の波長の信号を導くことができて、安価で信頼性の高い光ピックアップ装置を提供できる。
【発明を実施するための最良の形態】
【００４１】
以下、この発明を図示の実施の形態により詳細に説明する。
【００４２】
（第１の実施形態）
図１、図２および図３は、この発明の光ピックアップ装置の第１実施形態を示している。この光ピックアップ装置は、短波長のレーザ光を出射する第１の光源１と、中間波長のレーザ光を出射する第２の光源２と、長波長のレーザ光を出射する第３の光源３と、第１の回折素子１５ａと、第２の回折素子１４ａと、受光素子１３とを有し、互いに波長の異なる３種類のレーザ光によって、記録方式の異なる記録媒体としてのディスク１１への信号の書き込みや読み取りを行う。
【００４３】
上記短波長のレーザ光の波長は、略４０５ｎｍであり、上記中間波長のレーザ光の波長は、略６５０ｎｍであり、上記長波長のレーザ光の波長は、略７８０ｎｍである。
【００４４】
上記第１の光源１は、例えば、青紫色レーザであり、記録媒体としての、超高密度ディスクや青色レーザ光を用いて記録再生するディスクに対して、情報信号の書き込みや読み取りを行う。上記第２の光源２は、例えば、ＤＶＤ（Digital Versatile Disc）用レーザであり、記録媒体としてのＤＶＤに対して、情報信号の書き込みや読み取りを行う。上記第３の光源３は、例えば、ＣＤ（Compact Disc）用レーザであり、記録媒体としてのＣＤに対して、情報信号の書き込みや読み取りを行う。
【００４５】
上記第２の光源２と上記第３の光源３とは、同一の一のパッケージに、収納され、上記第１の光源１は、他のパッケージに収納されている。
【００４６】
上記第１の回折素子１５ａは、上記第１の光源１から出射された上記短波長のレーザ光による記録媒体からの反射光を回折する。
【００４７】
上記第２の回折素子１４ａは、上記第２の光源２から出射されると共に上記短波長のレーザ光の偏光方向と直交する偏光方向に設定された上記中間波長のレーザ光による記録媒体からの反射光、および、上記第３の光源３から出射されると共に上記短波長のレーザ光の偏光方向と直交する偏光方向に設定された上記長波長のレーザ光による記録媒体からの反射光を回折する。
【００４８】
上記第１の回折素子１５ａは、上記短波長のレーザ光による記録媒体からの反射光を、上記第２の回折素子１４ａの領域外に回折し、上記第２の回折素子１４ａは、偏光特性を有しない回折素子で形成されている。
【００４９】
上記受光素子１３は、上記第１の回折素子１５ａからの短波長の回折光と、上記第２の回折素子１４ａからの中間波長の回折光、および、上記第２の回折素子１４ａからの長波長の回折光とを、互いに異なる領域で受光する。
【００５０】
上記受光素子１３は、一つの集積回路上に、形成されている。例えば、上記受光素子１３は、オプティカルＩＣ（ＯＰＩＣ）である。
【００５１】
上記受光素子１３を設置する受光素子用基台１２と、上記第１の回折素子１５ａを設置する第１の回折素子用基台１５と、上記第２の回折素子１４ａを設置する第２の回折素子用基台１４とを有する。上記受光素子用基台１２、上記第１の回折素子用基台１５および上記第２の回折素子用基台１４は、直列に接して配置されている。
【００５２】
図１と図３を用いて、長波長のレーザ光および中間波長のレーザ光の光路を説明する。まず、上記第２の光源２または上記第３の光源３を出射した光束は、紙面垂直方向であるＹ方向に偏光しており、第２のＰＢＳ６にＳ波として入射する。この第２のＰＢＳ６で全反射された光束は、コリメートレンズ７によって概平行光とされ、１／４波長板８で円偏光に変換され、立ち上げミラー９によって、対物レンズ１０へ入射して、ディスク１１に集光される。
【００５３】
図１においてディスク１１からの戻り光は、上記１／４波長板８で紙面平行方向であるＸ方向の偏光となり、第２のＰＢＳ６および第１のＰＢＳ５を透過して、第２の回折素子１４ａに導かれる。
【００５４】
上記第２のＰＢＳ６および上記第１のＰＢＳ５は、波長選択性偏光プリズムであり、第２の回折素子１４ａは、偏光ホログラムである。
【００５５】
上記第２の回折素子１４ａは、Ｘ方向の偏光成分に回折作用を有し、光束に非点収差を与えて、上記受光素子１３に入射する。
【００５６】
上記第１の回折素子１５ａは、上記第２の回折素子１４ａよりも上記ディスク１１側にあり、Ｙ方向の偏光成分にしか回折作用を持たないため、Ｘ方向に偏光しているＣＤやＤＶＤの信号光束には作用しない。
【００５７】
図２と図３を用いて、短波長のレーザ光の光路を説明する。まず、上記第１の光源１から出射した光束は、上記第１のＰＢＳ５にＰ波として入射し、上記第１のＰＢＳ５の偏光膜面で反射され、上記第２のＰＢＳ６を透過して、上記コリメートレンズ７によって概平行光とされ、上記１／４波長板８で円偏光とされて、上記ディスク１１まで導かれる。
【００５８】
上記コリメートレンズ７は、図示しないが、高密度ディスクの規格における上記ディスク１１の厚み誤差による球面収差を補正する目的で、光軸方向に可動することができて、平行光束の程度を変える機能を有している。
【００５９】
また、上記ディスク１１からの反射光は、同様の経路を通り、紙面垂直方向であるＹ方向の偏光とされて、上記第１の回折素子１５ａに入射する。上記第１の回折素子１５ａにおいては、Ｙ方向の偏光成分に回折作用を有するため、光束のほとんどの成分は、偏光ホログラムの領域によって、フォーカスエラー信号（ＦＥＳ）成分やＴＥＳ成分や球面収差信号（ＳＡ）成分の異なる機能を有しながら、回折光となって回折されて、上記受光素子１３へ入射する。
【００６０】
図４と図５を用いて、上記中間波長のレーザ光および上記長波長のレーザ光の受光信号を説明する。上記中間波長のレーザ光および上記長波長のレーザ光は、Ｘ方向に偏光しており、上記第１の回折素子１５ａでは、回折作用を持たずそのまま透過して、上記第２の回折素子１４ａによって、非点収差を付加されて、上記受光素子１３の略センターに形成された１２分割の受光部Ａ〜Ｌに落射する。
【００６１】
ここで、受光部Ａ，Ｂ，Ｃ，Ｄに落射するのは、メインビームであり、受光部Ｅ，Ｆ，Ｇ，Ｈ，Ｉ，Ｊ，Ｋ，Ｌ，に落射するのは、トラッキングエラーを検出するためのサブビームである。
【００６２】
図６、図７および図８を用いて、上記短波長のレーザ光の受光状態を説明する。Ｙ方向に偏光した上記ディスク１１からの戻り光は、上記第１の回折素子１５ａによって回折される。
【００６３】
上記第１の回折素子１５ａは、図８に示すように、上記短波長のレーザ光による上記ディスク１１からの反射光を、４つの領域に分割している。
【００６４】
第１の領域は、トラック方向（信号列方向の前後）に２分割された半円のうちの一の半円であって、ナイフエッジ法によるフォーカスエラー信号（ＦＥＳ）が得られる。つまり、この第１の領域は、図８中のγ領域であって、上記反射光を、フォーカスエラーを検出するための受光領域である、上記受光素子１３の受光部γ１、γ２に落射して、ホログラムフーコーによる差動信号（γ１−γ２）によってＦＥＳを得る。
【００６５】
第２の領域は、他の半円のうちの外周側の領域であって、球面収差信号（ＳＡ）が得られる。つまり、この第２の領域は、図８中のδ領域であって、上記反射光を、球面収差を検出するための受光領域である、上記受光素子１３の受光部δ１、δ２に落射して、差動（δ１−δ２）によって、ＳＡを得る。
【００６６】
図９を用いて、球面収差の発生を説明すると、球面収差とは、レンズにて集光される中心部と外周部とのフォーカス点の位置誤差を示し、この収差量を検出するため、図８中のδ領域の合焦ズレを検出することで、球面収差信号を得ることが可能となる。
【００６７】
球面収差信号は、受光部δ１，δ２の分割線上に落射調整されて、ホログラムフーコー法による差動信号（δ１−δ２）によって、球面収差量を演算する。
【００６８】
ここで、δ領域の信号は、高密度ディスクの一種類においては、対物レンズのＮＡが大きいため、球面収差信号によってドライブの安定性を増すことができ、高密度ディスクの他の種類においては、対物レンズのＮＡは、ＤＶＤと同一であって、球面収差信号は必須ではなく、加算によるＲＦ信号検出に使用される。
【００６９】
第３と第４の領域は、それぞれ、他の半円のうちの内周側の領域をラジアル方向に２分割した領域である。つまり、この第３と第４の領域は、図８中のα領域とβ領域であって、上記反射光を、上記第１の回折素子１５ａのラジアル方向のバランス調整を行うための受光領域である、上記受光素子１３の受光部α１、β１に落射して、上記第１の回折素子１５ａのラジアル方向の位置精度を調整する。要するに、α領域の回折光は、上記受光部α１にて受光され、β領域の回折光は、受光部β１にて受光され、それぞれの受光部α１，β１の受光強度を比較することによって、上記第１の回折素子１５ａのラジアル方向の位置精度を正確に調整することができる。
【００７０】
要するに、上記受光素子１３は、上記第１の回折素子１５ａからの短波長の回折光を受光する領域である受光部α１，β１，γ１，γ２，δ１，δ２と、上記第２の回折素子１４ａからの中間波長の回折光、および、上記第２の回折素子１４ａからの長波長の回折光を受光する領域である受光部Ａ〜Ｌとを、有する。
【００７１】
図１０〜図１３を用いて、さらに詳細に説明すると、上記受光部α１，β１は、上記第１の回折素子１５ａのラジアル方向のバランス調整を行うための受光領域であって、図１１Ａに示すように、対物レンズの開口１０ａに対して正確なラジアル方向位置決めが可能となり、図１２Ａに示すように、ＳＡ信号（球面収差信号）を得る。
【００７２】
図１１Ｂと図１１Ｃに示すように、対物レンズがラジアル方向に追従して対物レンズの開口１０ａがラジアル方向にシフトしても、図１２Ｂと図１２Ｃに示すように、左右対称な形状を有するＳＡ信号を得ることができる。なお、図１１Ｂは、対物レンズが内周側にシフトした状態を示し、このとき、図１２Ｂに示すＳＡ信号を得る一方、図１１Ｃは、対物レンズが外周側にシフトした状態を示し、このとき、図１２Ｃに示すＳＡ信号を得る。
【００７３】
したがって、左右シフトで信号変化の少ない良好なＳＡ信号（球面収差信号）を得ることが可能で、図１３に示したように対物レンズシフトの影響をほとんど受けない良好な球面収差信号δ１−δ２を得ることができる。
【００７４】
図１３の左側の蛇行信号は、対物レンズを（矢印にて示す）ラジアル方向に揺動した時のプッシュプル信号で、対物レンズのシフトを示し、右側の信号が球面収差信号である。ここでは、対物レンズのラジアル方向へのシフトに対しても、安定した球面収差信号を出力していることがわかる。
【００７５】
ここで、比較例として、図１４〜図１７を用いて、回折素子の分割パターンと、対物レンズがラジアル方向にシフトした場合との、影響度を説明する。
【００７６】
つまり、図１４に示すように、比較例としての回折素子は、図１０の第１の回折素子１５ａのβ領域がなく、図１５Ａに示すように、ラジアル方向の調整目安がなく、正確なラジアル方向位置調整ができない。このため、元々調整時からセンターズレが発生し、図１６Ａに示すＳＡ信号を得る。
【００７７】
そして、図１５Ｂに示すように、対物レンズが内周側にシフトした場合と、図１５Ｃに示すように、対物レンズが外周側にシフトした場合とでは、図１６Ｂに示すＳＡ信号と、図１６Ｃに示すＳＡ信号とは、左右非対称な形状となって、内外周における球面収差量が誤って出力されるという不具合を呈していた。なお、図１５Ｂは、対物レンズが内周側にシフトした状態を示し、このとき、図１６Ｂに示すＳＡ信号を得る一方、図１５Ｃは、対物レンズが外周側にシフトした状態を示し、このとき、図１６Ｃに示すＳＡ信号を得る。
【００７８】
この場合、図１７に示すように、対物レンズシフトによってＳＡ信号が乱されるという不具合が発生していた。つまり、図１７の右側の球面収差信号は、図１３の右側の球面収差信号に比べて、乱れが大きい。なお、図１７の左側の蛇行信号は、対物レンズのシフトを示し、右側の信号は、球面収差信号を示す。
【００７９】
上記構成の光ピックアップ装置によれば、上記第１の光源１と、上記第２の光源２と、上記第３の光源３と、上記第１の回折素子１５ａと、上記第２の回折素子１４ａと、上記受光素子１３とを有するので、波長によって受光信号光の偏光方向を直交させることによって、複雑な光学部品を使用することなく、同一の上記受光素子１３の異なる領域に、３種の波長の信号を導くことができて、安価で信頼性の高い光ピックアップ装置を提供できる。
【００８０】
また、上記受光素子１３は、一つの集積回路上に、形成されているので、同一の集積回路上の受光素子に、３種の波長の信号を導くことができて、安価で信頼性の高い光ピックアップ装置を提供できる。
【００８１】
また、上記第１の回折素子１５ａは、上記短波長のレーザ光による記録媒体からの反射光を、上記第２の回折素子１４ａの領域外に回折し、上記第２の回折素子１４ａは、偏光特性を有しない回折素子で形成されているので、上記第２の回折素子１４ａを偏光特性を有しない材料で構成できて、安価で安定した特性を得ることができる。
【００８２】
また、上記第１の回折素子１５ａは、上記短波長のレーザ光による記録媒体からの反射光を、４つの領域に分割し、第１の領域は、トラック方向に２分割された半円のうちの一の半円であって、ナイフエッジ法によるフォーカスエラー信号が得られ、第２の領域は、他の半円のうちの外周側の領域であって、球面収差信号が得られ、第３と第４の領域は、それぞれ、他の半円のうちの内周側の領域をラジアル方向に２分割した領域であるので、対物レンズの開口（アパーチャ絞り）に対して正確に上記第１の回折素子１５ａの位置決めが可能であり、対物レンズのラジアル方向のシフトに対しても安定した球面収差信号を得ることができる。
【００８３】
また、上記短波長のレーザ光による記録媒体からのフォーカスエラー信号は、上記第１の回折素子１５ａによる上記第１の領域を介して、上記受光素子１３のうちの２分割された一の受光部によって、ナイフエッジ法を用いて得られるので、トラックピッチの狭い超高密度のディスクに対して、トラックを横切るトラッキング信号のフォーカス信号への漏れ込みを最小限にすることができる。
【００８４】
また、上記中間波長のレーザ光による記録媒体からのフォーカスエラー信号、および、上記長波長のレーザ光による記録媒体からのフォーカスエラー信号は、上記受光素子１３のうちの他の受光部によって、非点収差法あるいは差動非点収差法を用いて得られるので、信頼性のあるフォーカスエラーを検出することができる。
【００８５】
また、上記第２の光源２と上記第３の光源３とは、同一の一のパッケージに、収納され、上記第１の光源１は、他のパッケージに収納されているので、上記第２の光源２から出射される上記中間波長のレーザ光の偏光方向、および、上記第３の光源３から出射される上記長波長のレーザ光の偏光方向を、上記第１の光源１から出射される上記短波長のレーザ光の偏光方向に対して直交するように、簡単に設定できる。
【００８６】
また、上記受光素子用基台１２、上記第１の回折素子用基台１５および上記第２の回折素子用基台１４は、直列に接して配置されているので、上記受光素子１３、上記第１の回折素子１５ａおよび上記第２の回折素子１４ａのそれぞれの信号受光調整が、容易となる。
【００８７】
また、上記短波長のレーザ光の波長は、略４０５ｎｍであり、上記中間波長のレーザ光の波長は、略６５０ｎｍであり、上記長波長のレーザ光の波長は、略７８０ｎｍであるので、超高密度ディスク、ＤＶＤおよびＣＤの３種のディスクに対して、規格に則した最適な記録や再生を行うことができる。
【００８８】
なお、上記第１の回折素子１５ａは、上記基台１５のディスク１１側に形成し、上記第２の回折素子１４ａは、上記基台１４の受光素子１３側に形成したが、上記基台１４，１５のどちら側に、上記回折素子１４ａ，１５ａを形成してもよい。
【００８９】
（第２の実施形態）
図１８および図１９は、この発明の光ピックアップ装置の第２の実施形態を示している。上記第１の実施形態と相違する点を説明すると、この第２の実施形態では、上記第１の光源１、上記第２の光源２および上記第３の光源３は、同一のパッケージに収納されている。
【００９０】
図１８は、上記第２の光源２および上記第３の光源３の発光経路および受光経路を示し、図１９は、上記第１の光源１の発光経路および受光経路を示し、それぞれの受光原理は、上記第１の実施形態と同様であるので、説明を省略する。
【００９１】
したがって、上記第１の光源１、上記第２の光源２および上記第３の光源３は、同一のパッケージに収納されているので、簡単な構成にすることができる。
【００９２】
（第３の実施形態）
図２０は、この発明の光ピックアップ装置の第３の実施形態を示している。上記第２の実施形態と相違する点を説明すると、この第３の実施形態では、上記パッケージ内に、Ｌ字型の固定ベース４を有し、この固定ベース４に、上記第１の光源１、上記第２の光源２および上記第３の光源３を設置している。
【００９３】
具体的に述べると、上記第２の光源２から出射される上記中間波長のレーザ光の偏光方向（Ｙ方向）、および、上記第３の光源３から出射される上記長波長のレーザ光の偏光方向（Ｙ方向）を、上記第１の光源１から出射される上記短波長のレーザ光の偏光方向（Ｚ方向）に対して直交するように、上記固定ベース４の一端に、上記第１の光源１を設置し、上記固定ベース４の他端に、上記第２の光源２および上記第３の光源３を設置している。
【００９４】
したがって、光学系を簡略化した簡単な構成で、上記第１の光源１から出射される上記短波長のレーザ光の偏光方向、上記第２の光源２から出射される上記中間波長のレーザ光の偏光方向、および、上記第３の光源３から出射される上記長波長のレーザ光の偏光方向を、簡単に設定できる。
【００９５】
（第４の実施形態）
この発明の光ピックアップ装置の第４の実施形態として、図示しないが、上記第１の光源１、上記第２の光源２および上記第３の光源３は、それぞれ、互いに異なるパッケージに収納されている。
【００９６】
したがって、上記第１の光源１、上記第２の光源２および上記第３の光源３を、全て、既存のものを使用でき、また、上記第１の光源１、上記第２の光源２および上記第３の光源３の各々に、低コストのパッケージを採用できる。
【００９７】
（第５の実施形態）
図２１、図２２および図２３は、この発明の光ピックアップ装置の第５の実施形態を示している。上記第１の実施形態と相違する点を説明すると、この第５の実施形態では、上記第１の実施形態の上記第２の回折素子１４ａに代えて、偏光レンズ１６を有している。
【００９８】
つまり、この光ピックアップ装置は、上記第１の光源１と、上記第２の光源２と、上記第３の光源３と、上記第１の回折素子１５ａと、上記偏光レンズ１６と、上記受光素子１３とを有する。なお、上記第１の実施形態と同一の符号は、上記第１の実施形態と同じ構成であるため、その説明を省略する。
【００９９】
上記偏光レンズ１６は、偏光性屈折率差を有し、上記第１の回折素子１５ａよりも上記ディスク１１側に配置されている。
【０１００】
上記偏光レンズ１６は、上記第１の光源１から出射された上記短波長のレーザ光による記録媒体からの反射光を屈折しないで透過する一方、上記第２の光源２から出射されると共に上記短波長のレーザ光の偏光方向と直交する偏光方向に設定された上記中間波長のレーザ光による記録媒体からの反射光、および、上記第３の光源３から出射されると共に上記短波長のレーザ光の偏光方向と直交する偏光方向に設定された上記長波長のレーザ光による記録媒体からの反射光を屈折する。
【０１０１】
そして、上記受光素子１３は、上記第１の回折素子１５ａからの短波長の回折光と、上記偏光レンズ１６からの中間波長の屈折光、および、上記偏光レンズ１６からの長波長の屈折光とを、互いに異なる領域で受光する。
【０１０２】
図２１および図２２を用いて、上記第２の光源２および上記第３の光源３のレーザ光の光路を説明する。まず、上記ディスク１１からの反射光束は、１／４波長板８で、円偏光からＸ方向の直線偏光に変換される。このＸ方向の直線偏光は、上記第２のＰＢＳ６および上記第１のＰＢＳ５を透過して、上記偏光レンズ１６へ入射する。
【０１０３】
上記偏光レンズ１６は、Ｘ方向の偏光方向の光束に対して屈折率ｎ１を有するレンズ面１６ａと、Ｘ方向の偏光方向の光束に対して屈折率ｎ２を有する素子部１６ｂと、同軸化素子１６ｃとを有し、上記レンズ面１６ａ、上記素子部１６ｂおよび上記同軸化素子１６ｃは、互いに、張り合わされている。上記屈折率ｎ１と上記屈折率ｎ２とは、等しくなく、上記レンズ面１６ａおよび上記素子部１６ｂは、レンズ効果を有する。
【０１０４】
上記レンズ面１６ａと上記素子部１６ｂとの境界によって非点収差を付加された光束は、上記同軸化素子１６ｃで、上記第３の光源３（ＣＤ）の光路が、上記第２の光源２（ＤＶＤ）の光路に、重ねられて、上記第１の回折素子１５ａを透過して、上記受光素子１３へ導かれ、上記第１の実施形態で説明した原理で信号検出される。
【０１０５】
ここで、Ｙ方向の偏光成分に対しては、上記レンズ面１６ａおよび上記素子部１６ｂは、ともに、同じ屈折率ｎ２を有するので、レンズ効果を有さない。このような偏光性屈折率を有する材料を、レンズ面で張り合わせることによって、偏光方向によって異なった光学素子とすることが可能となる。
【０１０６】
図２２を用いて、上記第１の光源１のレーザ光の光路を説明する。まず、上記ディスク１１からの反射光束は、１／４波長板８で、円偏光からＹ方向の直線偏光に変換される。このＹ方向の直線偏光は、上記第２のＰＢＳ６および上記第１のＰＢＳ５を透過して、上記偏光レンズ１６へ入射する。
【０１０７】
ここで、Ｙ方向の偏光成分に対しては、上記レンズ面１６ａおよび上記素子部１６ｂは、ともに、同じ屈折率ｎ２を有することになるため、レンズ形状の張り合わせ面で、光学屈折は、発生せずに、上記第１の光源１のレーザ光は、このまま透過される。その後、上記第１の光源１のレーザ光は、上記同軸化素子１６ｃも透過し、上記第１の回折素子１５ａによって回折され、上記受光素子１３へ導かれて、上記第１の実施形態で説明した原理で信号検出される。
【０１０８】
このように、上記構成の光ピックアップ装置では、上記第１の回折素子１５ａによって、短波長の回折信号によるＦＥＳやＴＥＳやＲＦ信号を得る一方、上記偏光レンズ１６によって、中間波長の屈折信号および長波長の屈折信号のＦＥＳを、非点収差法あるいは差動非点収差法を用いて、得ることができる。
【０１０９】
したがって、上記構成の光ピックアップ装置では、波長によって受光信号光の偏光方向を直交させることによって、複雑な光学部品を使用することなく、同一の受光素子１３の異なる領域に、３種の波長の信号を導くことができて、安価で信頼性の高い光ピックアップ装置を提供できる。
【図面の簡単な説明】
【０１１０】
【図１】本発明の光ピックアップ装置の第１実施形態を示すと共に、第２の光源および第３の光源のレーザ光の光路を説明する平面図である。
【図２】第１の光源のレーザ光の光路を説明する平面図である。
【図３】光ピックアップ装置の光路を説明する側面図である。
【図４】第２の光源および第３の光源のレーザ光の受光側の光路を説明する説明図である。
【図５】受光素子の受光部のパターンを説明する平面図である。
【図６】第１の光源のレーザ光の受光側の光路を説明する説明図である。
【図７】第１の光源のレーザ光の受光状態を説明ずる説明図である。
【図８】第１の回折素子の分割領域を説明する説明図である。
【図９】球面収差の発生を説明する説明図である。
【図１０】第１の光源のレーザ光の受光状態を説明する説明図である。
【図１１Ａ】第１の光源のレーザ光の第１の回折素子への受光状態を説明すると共に、対物レンズがシフトしない状態を示す説明図である。
【図１１Ｂ】第１の光源のレーザ光の第１の回折素子への受光状態を説明すると共に、対物レンズが内周側にシフトした状態を示す説明図である。
【図１１Ｃ】第１の光源のレーザ光の第１の回折素子への受光状態を説明すると共に、対物レンズが外周側にシフトした状態を示す説明図である。
【図１２Ａ】図１１Ａの状態でＳＡ信号として受光されるパターンを示す説明図である。
【図１２Ｂ】図１１Ｂの状態でＳＡ信号として受光されるパターンを示す説明図である。
【図１２Ｃ】図１１Ｃの状態でＳＡ信号として受光されるパターンを示す説明図である。
【図１３】第１の光源のレーザ光の信号品質を説明する説明図である。
【図１４】比較例として、短波長レーザ光の受光状態を説明する説明図である。
【図１５Ａ】比較例として、短波長レーザ光の回折素子への受光状態を説明すると共に、対物レンズがシフトしない状態を示す説明図である。
【図１５Ｂ】比較例として、短波長レーザ光の回折素子への受光状態を説明すると共に、対物レンズが内周側にシフトした状態を示す説明図である。
【図１５Ｃ】比較例として、短波長レーザ光の回折素子への受光状態を説明すると共に、対物レンズが外周側にシフトした状態を示す説明図である。
【図１６Ａ】図１５Ａの状態でＳＡ信号として受光されるパターンを示す説明図である。
【図１６Ｂ】図１５Ｂの状態でＳＡ信号として受光されるパターンを示す説明図である。
【図１６Ｃ】図１５Ｃの状態でＳＡ信号として受光されるパターンを示す説明図である。
【図１７】比較例として、短波長レーザ光の信号品質を説明する説明図である。
【図１８】本発明の光ピックアップ装置の第２実施形態を示すと共に、第２の光源および第３の光源のレーザ光の光路を説明する平面図である。
【図１９】第１の光源のレーザ光の光路を説明する平面図である。
【図２０】本発明の光ピックアップ装置の第３実施形態を示すと共に、第１の光源、第２の光源２および第３の光源の配置を説明する説明図である。
【図２１】本発明の光ピックアップ装置の第５実施形態を示すと共に、第２の光源および第３の光源のレーザ光の光路を説明する平面図である。
【図２２】第１の光源のレーザ光の光路を説明する平面図である。
【図２３】光ピックアップ装置の光路を説明する側面図である。
【符号の説明】
【０１１１】
１  第１の光源
２  第２の光源（ＤＶＤ用レーザ）
３  第３の光源（ＣＤ用レーザ）
４  固定ベース
５  第１のＰＢＳ
６  第２のＰＢＳ
７  コリメートレンズ
８  １／４波長板
９  立ち上げミラー
１０  対物レンズ
１０ａ  開口
１１  ディスク（記録媒体）
１２  受光素子用基台
１３  受光素子
１４  第２の回折素子用基台
１４ａ  第２の回折素子
１５  第１の回折素子用基台
１５ａ  第１の回折素子
１６  偏光レンズ
１６ａ  偏光性屈折率差を有するレンズ面
１６ｂ  偏光方向で屈折率差を有しない素子部
１６ｃ  同軸化素子
【図１】
2008077762.tif 000003
【図２】
2008077762.tif 000004
【図３】
2008077762.tif 000005
【図４】
2008077762.tif 000006
【図５】
2008077762.tif 000007
【図６】
2008077762.tif 000008
【図７】
2008077762.tif 000009
【図８】
2008077762.tif 000010
【図９】
2008077762.tif 000011
【図１０】
2008077762.tif 000012
【図１１Ａ】
2008077762.tif 000013
【図１１Ｂ】
2008077762.tif 000014
【図１１Ｃ】
2008077762.tif 000015
【図１２Ａ】
2008077762.tif 000016
【図１２Ｂ】
2008077762.tif 000017
【図１２Ｃ】
2008077762.tif 000018
【図１３】
2008077762.tif 000019
【図１４】
2008077762.tif 000020
【図１５Ａ】
2008077762.tif 000021
【図１５Ｂ】
2008077762.tif 000022
【図１５Ｃ】
2008077762.tif 000023
【図１６Ａ】
2008077762.tif 000024
【図１６Ｂ】
2008077762.tif 000025
【図１６Ｃ】
2008077762.tif 000026
【図１７】
2008077762.tif 000027
【図１８】
2008077762.tif 000028
【図１９】
2008077762.tif 000029
【図２０】
2008077762.tif 000030
【図２１】
2008077762.tif 000031
【図２２】
2008077762.tif 000032
【図２３】
2008077762.tif 000033